(57)【要約】      （修正有）【課題】二つの指輪からなり、各単体での使用、例えばそれぞれをエンゲージリング、マリッジリングとして構成し使用することはもちろん、合体させて前記とはまったく異なる装飾効果を表出させ時、場所、場面に併せて使用することのできる新規な組み合わせ指輪を提供する。【解決手段】複環指輪１とこれに対して着脱可能な単環指輪７とからなり、前記複環指輪は第1環状体２と第2環状体３およびこれら両環状体が所定間隔で並行に重なるようにして支持固定する支柱部４により形成されるスリット部５とを具え、単体の環状体からなる前記単環指輪は複環指輪の前記スリット部に嵌脱自在に構成され、指輪としての使用形態として複環指輪又は単環指輪のいずれか単独の使用、あるいは双方の結合状態での使用を可能とした。【選択図】図３
2005253666.tif 000002
【特許請求の範囲】
【請求項１】
複環指輪とこれに対して着脱可能な単環指輪とからなり、前記複環指輪は第1環状体と第2環状体およびこれら両環状体が所定間隔で並行に重なるようにして支持固定する支柱部により形成されるスリット部とを具え、単体の環状体からなる前記単環指輪は複環指輪の前記スリット部に嵌脱自在に構成され、指輪としての使用形態として複環指輪又は単環指輪のいずれか単独の使用、あるいは双方の結合状態での使用を可能とし
婚約指輪、結婚指輪又は通常の装飾指輪として必要に応じ多彩に使い分けることを可能とした組み合わせ指輪。
【請求項２】
請求項１の組み合わせ指輪において、複環指輪の前記支柱部表面には宝石類を装着して第1装飾部を形成するとともに、単環指輪の環状体の外周にも宝石その他で構成される第2装飾部を形成して、複環指輪と単環指輪の結合状態での使用時に第1および第2の装飾部とを隣接させて両者の奏合による装飾効果を表出できるようにしたことを特徴とする組み合わせ指輪。
【請求項３】
請求項１の組み合わせ指輪において、複環指輪の前記支柱部の表面には宝石類を装着するとともに、前記スリット部は支柱部側で最大幅となり以降順次狭まって形成され、このスリット部に嵌脱される単環指輪の環状体はスリット部と同形状に形成し最薄部外周に宝石類を装着したことを特徴とする組み合わせ指輪。
【発明の詳細な説明】
【技術分野】
【０００１】
本願発明は、二つの指輪からなり、各単体での使用、例えばそれぞれをエンゲージリング、マリッジリングとして構成し使用することはもちろん、合体させて前記とはまったく異なる装飾効果を表出させ時、場所、場面に併せて使用することのできる新規な組み合わせ指輪に関するものである。
【背景技術】
【０００２】
指輪は、その用途から、エンゲージリング、マリッジリング、通常のファッションリング等に大別できる。
婚姻行事に併せて指輪を贈る習慣は従来のわが国社会風習には見られないものであったが、戦後は生活スタイルの欧米化特に米国のライフスタイルの浸透に伴い徐々に広まり、今日では結婚通過儀礼においてごく当たりまえに採用されている。  指輪のうちエンゲージリングあるいは婚約指輪は婚約成立の証に新郎側が新婦側に結納等に併せて贈られ、宝石類特にダイヤ飾りのついたプラチナ製の指輪が多い。
【０００３】
一方、結婚指輪とも称されるマリッジリングは、そもそもの発祥はキリスト教の教義による婚姻儀式における意思の交換の表象として用いられたことに端を発している。  しかしながら、現在ではこのような宗教色は後退しており、現在では婚姻後にそれぞれが婚姻状態にあることを表示するために使用されており、夫から妻へ、妻から夫へと各自が使用する指輪を交換的に贈るようになっている。  このように、結婚指輪は常時装着が想定されるから、婚約指輪のように宝石類の付いたいわゆる石付指輪ではなく、金または白金の無垢のものが多く使われてきた。
【０００４】
ところが、最近では従来地味な意匠的には地味で無味無臭とも言えるような形態であった結婚指輪もマリッジリングの名称が広がるにつれ、ファッション性を具えるようになり例えば、小粒のダイヤ等を指輪外周面に複数散布添着させたようなものも多く利用されるようになっている。  そして、必要によってはさらなる華やかさを演出するためにエンゲージリングとマリッジリングとを並列して使用する場合も少なくない。このような使い方は、華麗なエンゲージリングとシンプルな装いのマリッジリングとの醸しだす上品で華やいだ美しさとともに、装着する女性の結婚という人生の縦糸を垣間見せて誠に趣の深いものがある。
従来の結婚指輪等に関する文献としては以下に示すようなものがある。
【特許文献１】特開平１１−１６４７１４号
【特許文献２】特開２００２−０１０８１２
【特許文献３】特開２００２−１４２８１５
【特許文献４】特開２００２−３１５６１３
【特許文献５】特開２００３−２９９５１１
【発明の開示】
【発明が解決しようとする課題】
【０００５】
従来は、エンゲージリングとマリッジリングとが別体となっていたため、デザイン上の調和統一を図ることが難しい。すなわち、両指輪を同時に並列して使用する場合はもちろんのこと、双方を別途に使用する場合も無視できない問題となる。また、購入するのにもその都度店に足を運ぶ必要がある。さらに、店側にしろ購入者側にしろ、購入が済んだエンゲージリングに合わせたマリッジリングを探し出すことは以外に困難である。
また、従来のようにエンゲージリングとマリッジリングとを並列して使用する場合、双方の指輪のいずれかが指の周りで回ってしまい、双方の宝石類その他の装飾要素による奏合効果が減殺されてしまうことも多い上、双方指輪のいずれも、予め並列使用を想定していないから互いの位置関係がぴったりせず、装着に際してある種の違和感がぬぐえない。
【課題を解決するための手段】
【０００６】
本願発明は、複環指輪とこれに対して着脱可能な単環指輪とからなる組み合わせ指輪において、前記複環指輪は第1環状体と第2環状体およびこれら両環状体が所定間隔で並行に重なるようにして支持固定する支柱部により形成されるスリット部とを具え、単体の環状体からなる前記単環指輪は複環指輪の前記スリット部に嵌脱自在に構成され、指輪としての使用形態として複環指輪又は単環指輪のいずれか単独の使用、あるいは双方の結合状態での使用を可能として婚約指輪、結婚指輪又は通常の装飾指輪として必要に応じ多彩に使い分けられるようにして、上記従来の課題を解決する。
【０００７】
上記の組み合わせ指輪において、複環指輪の前記支柱部表面には宝石類を装着して第1装飾部を形成するとともに、単環指輪の環状体の外周にも宝石その他で構成される第2装飾部を形成して、複環指輪と単環指輪の結合状態での使用時に第1および第2の装飾部とを隣接させて両者の奏合による装飾効果を表出できるようになすことがある。
【０００８】
上記の組み合わせ指輪において、複環指輪の前記支柱部の表面には宝石類を装着するとともに、前記スリット部は支柱部側で最大幅となり以降順次狭まって形成され、このスリット部に嵌脱される単環指輪の環状体はスリット部と同形状に形成し最薄部外周に宝石類を装着するように構成することがある。
【発明の効果】
【０００９】
エンゲージリングとマリッジリングとが組みになっており、双方のデザイン上の調和統一が容易で高品質の意匠性を実現保持できる。  需要者は、一度の品定めでエンゲージリングとマリッジリングとを購入でき、店側も販売しやすいから、製造効率ばかりか販売効率も向上し結果として製品のトータルコストの低減に資するところが大きい。
エンゲージリングとマリッジリングとを併用する場合にも、グランドデザインの下に意匠された双方の宝石類を並列して表示することができ上質のファッション性を顕示できる。
また、従来のようにエンゲージリングとマリッジリングとを並列して使用する場合、双方の指輪のいずれかが指の周りで回ってしまい、双方の宝石類その他の装飾要素による奏合効果が減殺されてしまうようなこともなく、装着に際して複数同時着用に起因するある種の違和感もない。
【発明を実施するための最良の形態】
【００１０】
指輪は、複環指輪とこれに対して着脱可能な単環指輪とで構成する。そして、前記複環指輪はさらに二つの指輪で構成し、この二つの指輪である第1環状体と第2環状体は所定の間隙をおいて固定維持され2個の指輪が重なり合った状態で指に装着できるように構成する。  そして、第1環状体と第2環状体を連結固定する部分の外側にはダイヤ等の宝石類を付設して、この複環指輪を主としてエンゲージリングとしての体裁を具備するように細工する。一方、単環指輪は主として結婚指としての用途に対応した意匠を施し複環指輪を構成する二つの指輪である第1環状体と第2環状体との間隙に嵌合するように形成して、いわば三つの指輪が重なった状態で指に装着できるようにする。なお、単環指輪は主として結婚指輪に使用できる意匠を有するが、小粒の宝石類でシンプルなファッション性を持たせるようにしても良い。  複環指輪および単環指輪は、それぞれ単独でエンゲージリング、マリッジリング等として装着することも、あるいは双方を組み合わせて一体的な指輪として使用することもできる。
【実施例】
【００１１】
図面に基づいて本願発明に係る組み合わせ指輪の一実施例を説明する。
図1は、組み合わせ指輪の構成要素の側面図で、同図（ａ）は複環指輪の側面図、同図（ｂ）は単環指輪の側面図である。
図１（ａ）において、１は複環指輪であり、第1環状体２と第2環状体３を具えていて、これら両環状体２，３は支柱部４により所定間隔で並行に重なるようにして支持固定されていて、両環状体間にはスリット部５が形成されている。この実施例におけるスリット部５は支柱部４側で最大幅となり以降順次狭まって形成されているが、後述のようにスリット部５の上辺と下辺とは平行に形成しても良い。なお、支柱部６の外表面には、宝石類として小粒ダイヤ６が添着されている。この複環指輪１は、単独で指に嵌挿して通常一般の指輪同様に使用できるが、後述の単環指輪７を前記スリット部５に嵌めこみ、あたかも3個の指輪が重なった状態で使用してもよい。
【００１２】
また、図1（ｂ）において、７は前記スリット部５に嵌脱される単環指輪を示し、この単環指輪７を構成する環状体部分の側面形状は複環指輪１の前記スリット部５と同形状に形成されていて、側面における最小幅部分（最薄部外周）７ａには爪部が設けられ宝石類８が支持されている。この単環指輪７も単独で使用できることはもちろん、前述のように複環指輪１の前記スリット部５に嵌めこんで、あたかも3個の指輪が重なった状態で使用してもよい。
【００１３】
図2は、本願発明の他の実施例を示す斜視図で、同図（ａ）、（ｂ）はそれぞれ、複環指輪１および単環指輪７を示している。この実施例で、各構成要素は前述の実施例とその構成は同一であるので、同一符号を付して、重複説明は省略する。  この実施例が図1に示した前記実施例と異なる点は、複環指輪１の前記スリット部５の形状である。  すなわち、第1環状体２と所定間隔でこれに対向する第2環状体により形成される３スリット部５は上辺と下辺が平行に設定される点が前記実施例と異なっている。  したがって、このスリット部５に嵌合される単環指輪７の環状体部分の側面形状もこれにあわせてすべての部分で平行を維持している。
【００１４】
図3は、上記の実施例で説明した組み合わせ指輪の使用状態を示す斜視図であり、同図（ａ）は複環指輪１に対する単環指輪７の嵌脱動作を示し、同図（ｂ）は前記両者の嵌合状態を示している。  図3（ａ）において、スリット部５の上下の対向する各辺が図2で説明したように平行に設定されている場合は、単に単環指輪７をスリット部５に挿し込むだけで図3（ｂ）の嵌合状態を得られるが、図1で説明したように、スリット部５は支柱部４側で最大幅となり以降順次狭まって形成されている場合は、単環指輪７における側面部の幅広側（図1（ｂ）で右端）をスリット部５の幅広部分に対応させて挿し込む必要がある。
【００１５】
図2または図3に示す実施例で、複環指輪１の装飾要部すなわち添着する宝石類は小粒のダイヤを単数又は複数使い、全体としてシンプルな意匠を施すことにより単独使用の形態としてはマリッジリングを想定している。これに対して、単環指輪７には比較的大振りの宝石類を爪支持することにより華やかな意匠性を求め、単独使用の適用例としてエンゲージリングを想定している。  したがって、このような組み合わせ指輪を購入すれば、互いに意匠的調和のとれたエンゲージリングとマリッジリングを容易に選択できる。  また、製造にあたっても、エンゲージリングとマリッジリングに統一ないしはバランスのよいデザインを表象することができる。
【００１６】
また、図３（ｂ）では、複環指輪１の宝石類６と単環指輪７の宝石類8とはそれぞれ反対方向に位置しているが、スリット部５が平行である場合は、単環指輪７を回動させて複環指輪１の宝石類６と単環指輪７の宝石類8とを並べてより華やかに演出することができる。  以上説明したように、本願組み合わせ指輪は例えば単環指輪７をエンゲージリングとして、また複環指輪１をマリッジリングとしてそれぞれ単独で使用することも、またまた両者を組み合わせ状態で使用することもできる。  そして、組み合わせ状態での使用にあっては、状況に応じて好みの宝石類を周囲に見えるように装着できるし、前記のように構成によっては複環指輪１の宝石類６と単環指輪７の宝石類8とを並べた状態で外部に見えるように装着することができる。  このように、本願組み合わせ指輪は、装着者の感情気分、その場所の雰囲気、時間、服装あるいは装着の目的等に合わせて種々の態様を選択できるという全く新規な機能を具備している。
【図面の簡単な説明】
【００１７】
【図１】本願発明の１実施例に係る組み合わせ指輪を示す側面図である。
【図２】本願発明の他の実施例に係る組み合わせ指輪を示す斜視図である。
【図３】上記実施例に係る組み合わせ指輪の使用状態を示す斜視図である。
【符号の説明】
【００１８】
１      複環指輪
２      第1環状体
３      第2環状体
４      支柱部
５      スリット部
６      宝石類
７      単環指輪
８      宝石類  
【図１】
2005253666.tif 000003
【図２】
2005253666.tif 000004
【図３】
2005253666.tif 000005